(57)【特許請求の範囲】
【請求項１】
電話帳に電話番号を登録する電話帳機能を備え、この電話帳に登録した電話番号と名前を含む登録データに対して表示を禁止するシークレット設定が可能な移動体通信端末におけるシークレットデータ表示方法において、
前記シークレット設定が行われた電話番号を読み出す電話帳読み出し操作の前に、暗証番号が入力されていると、
前記暗証番号の一致または不一致を確認し、不一致の場合には前記シークレット設定がされた電話帳に登録された登録データの表示を禁止し、一致した場合には前記シークレット設定を一時的に解除して前記シークレット設定により前記電話帳に登録された登録データを表示し、
前記電話帳読み出し操作の終了操作または前記表示した電話番号への発信操作が行われると、再び自動的に前記シークレット設定がされることを特徴とする移動体通信端末におけるシークレットデータ表示方法。
【発明の詳細な説明】
【０００１】
【発明の属する技術分野】
本発明は移動体通信端末、より具体的には例えば暗証番号等によりシークレット設定された内容を表示することが可能な移動体通信端末におけるシークレットデータ表示方法に関する。
【０００２】
【従来の技術】
携帯電話機やＰＨＳ端末等の移動体通信端末は、一般に名前と電話番号等とをデータとして登録する電話帳機能を備え、この登録したデータで発信操作が行えるようになっている。また、この電話帳機能により登録するデータの中には第三者（他人）に見られたく無い名前や電話番号もある。このような場合を考慮して、通常、電話帳機能には登録したデータを表示しないシークレット設定を個々のデータに対して行えるようになっている。
【０００３】
【発明が解決しようとする課題】
しかしながらこのような従来技術では、電話帳機能で登録したデータを他人が読み出せないようにシークレット設定すると、このデータを読み出す際には読み出し操作に先立ちシークレット設定を解除しなければならなかった。このため、シークレット設定を行った登録データを読み出す場合には、その度に設定解除を行って読み出した後に再びシークレット設定を行う必要があるという問題があった。このように従来技術では、他人に見られたくないデータをシークレット設定しているにも係わらず、ユーザ自身も読み出しの度に解除、再設定を繰り返す必要があり、操作性が著しく悪かった。
【０００４】
本発明はこのような従来技術の課題を解決し、シークレット設定したデータに対してユーザが簡単にアクセスできる操作性の良い移動体通信端末におけるシークレットデータ表示または設定変更方法を提供することを目的とする。
【０００５】
【課題を解決するための手段】
本発明は上述の課題を解決するために、電話帳に電話番号を登録する電話帳機能を備え、この電話帳に登録した電話番号と名前を含む登録データに対して表示を禁止するシークレット設定が可能な移動体通信端末におけるシークレットデータ表示方法において、前記シークレット設定が行われた電話番号を読み出す電話帳読み出し操作の前に、暗証番号が入力されていると、
前記暗証番号の一致または不一致を確認し、不一致の場合には前記シークレット設定がされた電話帳に登録された登録データの表示を禁止し、一致した場合には前記シークレット設定を一時的に解除して前記シークレット設定により前記電話帳に登録された登録データを表示し、
前記電話帳読み出し操作の終了操作または前記表示した電話番号への発信操作が行われると、再び自動的に前記シークレット設定がされる。
【０００７】
【発明の実施の形態】
次に添付図面を参照して本発明による移動体通信端末におけるシークレットデータ表示方法の実施の形態を詳細に説明する。
図２を参照すると本発明による移動体通信端末の実施の形態を示す機能ブロック図が示されている。
【０００８】
本実施の形態による移動体通信端末は、当該端末装置の全体を制御するマイクロコンピュータ（ＭＰＵ）５０と、電話番号や電話帳に登録する名前または暗証番号等を入力したりシークレット設定を含む各種動作モードの設定等を行うキー操作部６０と、電話帳に登録された氏名および電話番号のデータが保存されるＥ2 ＰＲＯＭ６２と、キー操作部６０から入力された各種情報や端末装置の状態を表示するＬＣＤ等からなる表示部６４とを備える。
【０００９】
当該端末装置はまた、着信時にこの装置を振動させる振動モータ６６と、基地局からの電波を受信したり基地局への電波を送信するアンテナ６８と、アンテナ６８を介して送受信する音声信号やデータ信号に対してＲＦ送信処理またはＲＦ受信処理を行うＲＦ回路７０と、スピーカ７２と、マイク７４とを備える。また、ＲＦ回路７０でＲＦ受信処理された受信信号をＡＦ処理してスピーカ７２から音声出力するとともに、マイク７４から入力した音声信号をＡＦ処理してＲＦ回路７０に出力するＡＦ回路７６を備える。
【００１０】
ＭＰＵ５０は、その内部にＣＰＵ５１、ＲＯＭ５２、ＲＡＭ５３、クロック５４およびＩ／Ｏポート５５とにより構成されている。ＣＰＵ５１は、クロック５４から供給されるクロックに同期して動作し、ＲＯＭ５２に格納されている当該端末装置の動作処理手順を規定するプログラムに基づき、指定された処理を演算データおよび外部情報を格納するＲＡＭ５３を用いて実行する。ＣＰＵ５１はまた、Ｉ／Ｏポート５５を介してＭＰＵ５０以外の各構成要素と接続され、信号やデータの授受を行うことにより、所定の機能を実行する。
【００１１】
具体的には、ＣＰＵ５０は、例えばＲＯＭ５２に格納されているプログラムに従って名前とこれに対応する電話番号等とを登録データとしてＥ2 ＰＲＯＭ６２に記憶する電話帳機能を備えている。また、この電話帳機能により登録したデータに対して機密保護を行うシークレット機能、およびシークレット機能によりシークレット設定されたデータを表示するシークレットデータ表示機能等を実行する。
【００１２】
図１は本発明による移動体通信端末におけるシークレットデータ表示方法の実施の形態を示すフローチャートである。以下、図１および図２を用いて本実施の形態の動作を説明するが、図２に示したフローチャートでは、Ｅ2 ＰＲＯＭ６２に予めシークレット設定された名前と電話番号等のデータが複数登録されているものとする。また、暗証番号はダイヤルロックやシークレット登録設定等を行う場合に使用されるものとする。
【００１３】
シークレット設定された電話帳のデータを表示する場合、初めに暗証番号の入力をキー操作部６０により行う（Ｓ１００）。そして、暗証番号入力後、電話帳に登録したデータを読み出すために、キー操作部６０により電話帳読み出しキーを入力する（Ｓ１０２）。この電話帳読み出しキーが入力された時点で、ＣＰＵ５１はステップＳ１００で入力された暗証番号の一致、不一致を判定する（Ｓ１０４）。
【００１４】
この結果、暗証番号が一致した場合、シークレット設定された電話帳の登録データ全てに対してシークレット設定解除が行われ（Ｓ１０６）、既に、電話帳に登録されたデータの読み出し操作がキー操作部６０により行われている（Ｓ１０２）ので、データ読み出しが開始され（Ｓ１０８）、読み出し操作が行われた登録データがシークレット設定されているか否かが判定される（Ｓ１１０）。そして、読み出し操作が行われた登録データにシークレット設定が行われている場合でも、ステップＳ１０４で入力された暗証番号が一致していれば、ステップＳ１０６でシークレット設定解除が行われているのでシークレット解除中となり（Ｓ１１２）、読み出しデータが表示部６４に表示される（Ｓ１１４）。
【００１５】
また、ステップＳ１００に示した暗証番号の入力がされずに電話帳読み出しキーの操作がキー操作部６０により行われると（Ｓ１３０）、この場合にはシークレット設定が解除されていない状態なので（Ｓ１１２）、シークレット設定された登録データは表示すること無く、次にキー操作部６０（例えばアップ／ダウンキー）により、引き続き電話帳の読み出し操作が行われると（Ｓ１１６）、読み出し位置が更新され（Ｓ１１８）、ステップＳ１０８に戻って再び次データの読み出し処理が行われる。
【００１６】
このように、暗証番号が入力されずに電話帳読み出しキーの操作が行われると、シークレット設定された登録データは表示されること無くスキップされる。したがって、シークレット設定された登録データは第三者に全く分からずに、シークレット設定されていない登録データのみが順次表示部６４に表示されることになる。
【００１７】
また、ステップＳ１１４で読み出しデータを表示した時においても前記同様、キー操作部６０（例えば、アップ／ダウンキー）により電話帳の次データ読み出しキーが操作されると（Ｓ１１６）、読み出し位置が更新され（Ｓ１１８）、ステップＳ１０８に戻って再び次データの読み出し処理が行われる。
【００１８】
また、ステップＳ１１４で読み出しデータを表示した際、キー操作部６０により終了キーが操作されると（Ｓ１２０）、ステップＳ１０６で処理されたシークレット設定解除が終了して再びシークレット設定され（Ｓ１２２）、通常の待ち受け状態に移行する。
【００１９】
さらに、ステップＳ１１４で読み出しデータを表示した際、キー操作部６０により発信キーが操作されると（Ｓ１２４）、同様にステップＳ１０６で処理されたシークレット設定解除が終了して再びシークレット設定され（Ｓ１２６）、その後表示部６４に表示されている電話番号で発呼処理が行われる。なお、このように終了キーや発信キーの操作以外にタイムアウトによりシークレット設定に移行するようにしてもよい。
【００２０】
図３は図１に示した実施の形態における表示部６４に表示される画面の一表示例を示したものである。画面６４ａは待ち受け時の状態を示したものであり、基地局との受信状態や電池の容量、または日付や時間等が表示部６４に表示されている。この状態で例えば「１２３４」の予めユーザが設定した４桁の暗証番号が入力されると、日付や時間が消え、その代わりに４桁の暗証番号「１２３４」が画面６４ｂに示すように右下に表示される。
【００２１】
次に、この状態で電話帳メニューを表示するためにキー操作部６０の「電話帳」に該当するキーを続けて操作すると、画面６４ｃに示すように「電話帳メニュー」、「名前検索」、「グループ検索」の表示が表示部６０に表示される。以降、上述したようにシークレット設定されたデータも検索対象として表示部６０に表示することが可能となる。
【００２２】
なお、本発明は上記実施の形態に限定されるものでは無く、例えば電話帳機能全体をロックした場合へ応用したり、電話帳の個別機能をロックした場合への応用にも適用可能である。また、電話帳グループ機能において、特定のグループをロックした場合でも適用できる。
【００２３】
さらに、本発明はこのような電話帳の登録データに関するデータに限定されるものでは無く、使用者により変更可能なシークレット設定する必要があるデータであれば、そのまま適用することが可能である。また、このようなデータでは無く、暗証番号入力を伴う特定機能をロックまたは解除するような用途にも適用可能である。
【００２４】
【発明の効果】
このように本発明の移動体通信端末におけるシークレットデータ表示方法によれば、他人には見られたく無いシークレット設定したデータを表示する際の操作性が著しく向上する。したがって、煩わしい操作を行うこと無くユーザのプライバシーを維持することが可能となる。
【図面の簡単な説明】
【図１】本発明による移動体通信端末におけるシークレットデータ表示方法の実施の形態を示すフローチャート。
【図２】本発明による移動体通信端末の機能ブロック図。
【図３】図１に示した実施の形態における表示画面の一表示例を示した説明図。
【符号の説明】
５０    ＭＰＵ
５１    ＣＰＵ
５２    ＲＯＭ
５３    ＲＡＭ
６０    キー操作部
６２    Ｅ2 ＰＲＯＭ
６４    表示部
【図１】
0003695945.tif 000002
【図２】
0003695945.tif 000003
【図３】
0003695945.tif 000004